(57)【要約】【課題】１つの作業で使用状態にセッティングできるとともに、コンパクトな収納状態と、最適な使用状態を有する緩降機取り付け構造を提供する。【解決手段】リンク機構が、メインフレーム３の上端に、基端を回動自在に取り付けた第１アームステー５と、第１アームステー５の基端取り付け位置によりも下方であって、第１アームステー５の基端よりもリンク機構の展張方向前方に、基端を回動自在に取り付けた第２アームステー６とからなり、支持アーム４には、第２アームステー６の先端を回動自在に取り付けるとともに、第２アームステー６の先端取り付け位置よりも、リンク機構の展張方向前方寄りに、第１アームステー５の先端を回動自在に取り付けてなり、リンク機構を展張したとき、緩降機８を取り付けた支持アーム４の先端が、いったん下降する円弧状の軌跡を描いた後、再び先端が上昇する円弧状の軌跡を描いて所定位置に停止する。【選択図】  図６
2007097628.tif 000002
【特許請求の範囲】
【請求項１】
メインフレームにリンク機構を介して支持アームを連結し、この支持アームの先端に緩降機を取り付けてなり、上記リンク機構を展張したとき、位置保持部材により使用状態を保って支持アームの先端が屋外に突出する構成にした緩降機の取り付け構造において、上記リンク機構は、メインフレームの上端に、基端を回動自在に取り付けた第１アームステーと、第１アームステーの基端取り付け位置よりも下方であって、第１アームステーの上記基端よりも当該リンク機構の展張方向前方に、基端を回動自在に取り付けた第２アームステーとからなり、上記支持アームには、第２アームステーの先端を回動自在に取り付けるとともに、その第２アームステーの先端取り付け位置よりも、リンク機構の展張方向前方寄りに、第１アームステーの先端を回動自在に取り付けてなり、上記リンク機構を展張したとき、緩降機を取り付けた支持アームの先端が、いったん下降する円弧状の軌跡を描いた後、再びその先端が上昇する円弧状の軌跡を描いて所定位置に停止する構成にした緩降機の取り付け構造。
【請求項２】
上記位置保持部材は、メインフレームに回動自在に設け、上記支持アームが使用状態にあるとき、支持アームの後端とメインフレームとの間に介在して、支持アームの使用状態位置を保つ構成にした請求項１記載の緩降機の取り付け構造。
【請求項３】
第２アームステーには、上記支持アームの両側をまたぐアーチ状部を形成し、支持アームが上記使用状態位置に到達したとき、上記アーチ状部が、支持アームに接触して、支持アームの展張方向への回動を規制する構成にした請求項１または２記載の緩降機の取り付け構造。
【発明の詳細な説明】
【技術分野】
【０００１】
この発明は、一つの作業で使用状態にセッティングすることができる緩降機の取り付け構造に関する。
【背景技術】
【０００２】
従来から知られている緩降機取り付け具は、筒状の支柱に伸縮部材を挿入するとともに、この伸縮部材の先端に緩降機を支持する支持アームを取り付けている。このようにした緩降機取り付け具を収納状態に保つためには、先ず、支持アームを伸縮部材に沿わせるようにして折曲げるとともに、それら伸縮部材を筒状の支柱内に挿入しておく。
【０００３】
そして、緊急時に緩降機を使用するときには、先ず、人が、伸縮部材を支柱から引き出すとともに、その伸縮部材に設けた支持アームをほぼ水平に固定する。このように支持アームを固定したら、その支持アームに設けた緩降機の一方のベルトを地上に降ろし、他方のベルトを階上に残すようにする。そして、人は階上に残ったベルトを身に巻き付けて地上に降りるが、このときには、地上に降ろしたベルトが階上まであがってくる。つまり、井戸のつるべのように、一方のベルトが降りているときには、他方のベルトが上昇するといった動作を繰り返すことになる。
なお、本件に関しては、特許調査はしていない。
【発明の開示】
【発明が解決しようとする課題】
【０００４】
上記のようにした従来の緩降機取り付け具では、緊急時に緩降機を使用するときに、上記伸縮部材を支柱から引き出すなど、人に何段階もの作業を強いることになる。しかし、緊急時には、その何段階もの作業をすることが、わずらわしいという問題があった。
また、上記のような問題を解決するために、一つの作業で使用状態にセッティングできるような取り付け具が日々開発されているが、建物の形状等、当該取り付け具を取り付ける現場環境は非常に幅広いものである。このような現状に鑑み、一つの作業で使用状態にセッティングすることができるとともに、コンパクトな収納状態と、最適な使用状態を兼ね備え、しかも、さまざまな現場環境に適応できなければならないという問題があった。なお、ここでいう最適な使用状態とは、緩降機が位置する壁からの距離や高さ等をいう。つまり、従来の緩降機取り付け具によれば、使用状態にセッティングするまでに何段階もの作業をともなうことが、わずらわしいという問題があるのは上記した通りである。そして、この使用時のわずらわしさを解決しようとすれば、収納状態がかさばってしまったり、使用時において、使いにくい距離や高さに緩降機が位置してしまったりする問題があった。
【０００５】
この発明の目的は、１つの作業で使用状態にセッティングできるとともに、コンパクトな収納状態と、最適な使用状態を有する緩降機取り付け構造を提供することである。
【課題を解決するための手段】
【０００６】
この発明は、メインフレームにリンク機構を介して支持アームを連結し、この支持アームの先端に緩降機を取り付けてなり、上記リンク機構を展張したとき、位置保持部材により使用状態を保って支持アームの先端が屋外に突出する構成にした緩降機の取り付け構造を前提とする。
上記の構造を前提として、第１の発明は、上記リンク機構が、メインフレームの上端に、基端を回動自在に取り付けた第１アームステーと、第１アームステーの基端取り付け位置によりも下方であって、第１アームステーの上記基端よりも当該リンク機構の展張方向前方に、基端を回動自在に取り付けた第２アームステーとからなり、上記支持アームには、第２アームステーの先端を回動自在に取り付けるとともに、その第２アームステーの先端取り付け位置よりも、リンク機構の展張方向前方寄りに、第１アームステーの先端を回動自在に取り付けてなり、上記リンク機構を展張したとき、緩降機を取り付けた支持アームの先端が、いったん下降する円弧状の軌跡を描いた後、再びその先端が上昇する円弧状の軌跡を描いて所定位置に停止する構成にしたことを特徴とする。
【０００７】
第２の発明は、位置保持部材をメインフレームに回動自在に設け、上記支持アームが使用状態にあるとき、支持アームの後端とメインフレームとの間に介在して、支持アームの使用状態位置を保つ構成にしたことを特徴とする。
第３の発明は、第２アームステーには、上記支持アームの両側をまたぐアーチ状部を形成し、支持アームが上記使用状態位置に到達したとき、上記アーチ状部が、支持アームに接触して、支持アームの展張方向への回動を規制する構成にしたことを特徴とする。
【発明の効果】
【０００８】
第１の発明によれば、収納状態から使用状態に至るまで、一連の動作でセッティングすることができる。そのため、緊急時に使用する際、わずらわしさを感じることがない。
また、支持アームは、リンク機構によって、展張方向に十分に突出するので、必要以上に長い部材で構成する必要がなく、コンパクトな収納状態を実現することができる。
さらに、支持アームの先端は、下降する軌跡を描くように展張を開始するので、収納状態における支持アームの先端が、窓枠の上方と同じ高さに位置するところに緩降機取り付け具を備え付けることができる。しかも、支持アームの先端は、下降後再度上昇する軌跡を描いて静止するため、最適な角度を有する使用状態にセッティングすることができる。
第２の発明によれば、緩降機に対して荷重が作用しても、支持アームが収納方向に作動することがなく、安全に使用することができる。
第３の発明によれば、アーチ状部が、支持アームの展張方向への回動を規制するので、使用時のがたつきを防止することができる。
【発明を実施するための最良の形態】
【０００９】
図１〜図７を用いてこの発明の実施形態について説明する。なお、この実施形態では、緩降機取り付け具を室内における窓の横の壁に固定することを前提としている。
図１（ａ）は、緩降機取り付け具１が、室内における窓の横の壁面Ｗに固定された収納状態を示す俯瞰図であり、図１（ｂ）は、緩降機取り付け具１が、図２中のＡ位置にある状態をＤ方向から見た側面図である。
図１（ａ）及び図１（ｂ）に示す緩降機取り付け具１は、Ｌ字状の壁面支持部２ａ、回動部２ｂ、フレーム支持部２ｃ、軸２ｄとからなる連結機構２を介して壁面Ｗに取り付けられている。上記壁面支持部２ａは、上方と下方の２ヶ所に設けられ、そのＬ字状の一辺が、壁面Ｗに固定されるとともに、壁面Ｗと直角に位置する他辺には回動部２ｂを設けている。そして、この上下２ヶ所の回動部２ｂは、軸２ｄで連結しており、フレーム支持部２ｃの一端が、この軸２ｄに回動自在に取り付けられている。また、フレーム支持部２ｃの他端は、メインフレーム３の背面部３ａの側面に固定されている。したがって、図２に示すように、メインフレーム３は、回動部２ｂを軸として、Ａ位置からＢ位置まで、ｘ方向に回動自在に展開することができる。なお、ここでは、Ａ位置からＢ位置までｘ方向に回動することを展開といい、図２に示すｘ方向を展開方向という。
【００１０】
メインフレーム３が上記のように展開方向に回動したとき、上記メインフレーム３は、その背面部３ａが、壁面Ｗと平行になるように、その側面をフレーム支持部２ｃに固定している。そして、背面部３ａの上端及び下端には、図１（ｂ）に示すように、ｙ方向に突出するブラケット３ｂ及び下端突出部３ｃが形成されている。なお、ｙ方向は、後述するリンク機構によって支持アーム４が突出する方向、すなわち展張方向をいう。したがって、図２において、緩降機取り付け具がＡ位置にあるときには、図面左方向を展張方向といい、Ｂ位置にあるときには、図面右方向を展張方向という。
上記下端突出部３ｃは、ブラケット３ｂよりもｙ方向前方に長く形成され、その先端を直角に折り曲げ、上方に向かって突出させている。このように、メインフレーム３は、背面部３ａ、ブラケット３ｂ、下端突出部３ｃに囲まれるようにしてなる、収納スペース３ｄを形成することになる。
【００１１】
上記のような構成にしたメインフレーム３には、第１アームステー５と、第２アームステー６とで構成されるリンク機構が取り付けられ、このリンク機構によって支持アーム４が連結されている。リンク機構と支持アーム４との関係を以下に説明する。
支持アーム４は、一本の鉄製の部材で構成されている。そして、上記の支持アーム４、第１アームステー５、第２アームステー６の長さは、第２アームステー６が最も短く、支持アーム４が最も長い。また、両アームステー５，６の基端側には、回動支持部５ａ，６ａが設けられ、先端側には、アーム支持部５ｂ，６ｂが設けられている。さらに、第２アームステー６の先端には、後で詳しく説明するように、アーチ状部６ｃが形成されている。
【００１２】
そして、第１アームステー５の基端側に設けられた回動支持部５ａは、ブラケット３ｂの展張方向寄りであって、ブラケット３ｂの外側を挟むように、回動自在に連結している。また、第２アームステー６の基端側に設けられた回動支持部６ａは、メインフレーム３の下端突出部３ｃの先端付近であって、下端突出部３ｃを挟むように回動自在に連結している。したがって、両アームステー５，６は、それぞれ回動支持部５ａ，６ａを軸として、回動することができる。
【００１３】
そして、上記第２アームステー６の先端側に設けられたアーム支持部６ｂは、支持アーム４の後端を挟むように連結され、支持アーム４を回動自在に支持している。また、上記第１アームステー５の先端側に設けられたアーム支持部５ｂは、支持アーム４の中心よりも後端側であって、アーム支持部６ｂよりも先端側を挟むように連結され、支持アーム４を回動自在に支持している。なお、支持アーム４の後端とは、図１（ｂ）中の下側をいい、先端とは、上側をいう。つまり、先端とは、支持アーム４において、展張したときに、展張方向に対して前方に位置する一端をいい、後端とはその他端をいう。
上記のように、両アームステー５，６からなるリンク機構に連結された支持アーム４は、収納状態では、図１（ｂ）に示すように、後端が、メインフレーム３の下端突出部３ｃに接触している。また、この収納状態においては、支持アーム４の先端が、メインフレーム３のブラケット３ｂよりも、わずかに上方に突出しているが、展張方向に対しては、下端突出部３ｃの先端よりも、支持アーム４の先端が後方（図面右側）に位置している。したがって、収納状態における支持アーム４は、先端の一部を除いて、メインフレーム３の収納スペース３ｄに収納されることになる。
【００１４】
図３は、図２において、緩降機取り付け具１がＢ位置にある状態をＤ方向からみた側面図であり、図１（ｂ）をＤ方向と対抗する方向から見た状態と同じである。支持アーム４の先端に設けた緩降機つり下げ部材であるリング７には、緩降機８を釣り下げている。そして、上記緩降機８は、その中に組み込んだ滑車にロープ９を巻き回して、そのロープ９の両端を緩降機８から導き出すとともに、ロープ９の両端には、緩降時に人が装着するループなどからなる装着具１０を設けている。
図３に示すように、上記ロープ９の一方に設けている装着具１０は、支持アーム４の側面であって、アーム支持部５ｂと同じ位置に設けた操作レバー１１に引っ掛けられている。また、上記ロープ９は、ビルの窓から地上に降りるために必要な長さを有しているが、両装着具１０のうち、図示していない装着具１０は、通常は、支持アーム４の側面に備え付けられた、リール１２に巻いておくものである。
【００１５】
なお、このリール１２は、図４及び図５に示すように、支持アーム４の先端側面に固定したリールホルダー１３に取り外し自在に取り付けられ、使用時にリール１２ごと地面に落とすようにしている。
上記リールホルダー１３は、Ｉ型保持部材１４及びＴ型保持部材１５とからなる。Ｔ型保持部材１５は、Ｉ型保持部材１４と同じ長さからなる長辺部１５ａと、この長辺部１５ａの中心から長辺部１５ａに対して直角に突出し、長辺部１５ａよりも短く形成された短辺部１５ｂとから構成されている。また、Ｉ型保持部材１４は、支持アーム４の側面に固定されており、その中心よりも上方にはリールホルダー回転軸１６が形成されている。
そして、Ｉ型保持部材１４に形成されたリールホルダー回転軸１６に、Ｔ型保持部材１５における短辺部１５ｂの端部が吊り下げられている。この状態において、Ｉ型保持部材１４の中心点とＴ型保持部材における長辺部１５ａの中心点が一致するとともに、上記長辺部１５ａとＩ型保持部材１４が直交するようにしている。
上記Ｉ型保持部材１４及びＴ方保持部材１５における長辺部１５ａの両端には、コの字形状のリール保持部ｒが設けられている。したがって、リールホルダー１３は、コの字形のリール保持部ｒが円周方向４ヶ所に均等に位置することになり、リール１２がリール保持部ｒに引っ掛かるように取り付けられている。
【００１６】
また、図４に示すように、メインフレーム３には、その中程にアームストッパー１７からなる位置保持部材が、回動自在に取り付けられている。このアームストッパー１７は、緩降機取り付け具１の収納状態において、図１（ｂ）及び図３に示すように、支持アーム４に設けたアームストッパーガイド１８に寄りかかっている。そして、アームストッパー１７と第１アームステー５との間には、スプリング１９が収縮した状態で介在しており、第１アームステー５を展張方向に展張する力を付与している。ただし、このスプリング１９のバネ力のみでは、収納状態から第１アームステー５を展張することはできない。
【００１７】
次に、この緩降機取り付け具１が、収納状態から展開及び展張して、使用状態を示す展張状態にセットされるまでの過程を説明する。
まず、図２のＡ位置にあるとき、緩降機取り付け具１は収納状態にある。すなわち、緩降機を使用しない平常時には、緩降機取り付け具１は、Ａ位置にあり、図示しないケース等に囲まれている。そして、緊急時には、緩降機を使用する者が、緩降機取り付け具１に対して図２中左側に立ち、図示しないケースを開く。次に、使用者は操作レバー１１を握って手前側に引くと、操作レバー１１に作用する引く力は、回動部２ｂに作用し、緩降機取り付け具１をｘ方向に展開する。このとき、緩降機取り付け具１は、回動部２ｂを軸にして回動するので、Ａ位置付近における展開開始時には引く力が必要となるが、Ｂ位置付近においては、操作レバー１１を押す力が必要となる。ただし、緩降機取り付け具１の展開は、円弧を描くようになされるため、引く力から押す力に移行するときにもスムーズな移行が可能である。したがって、Ａ位置からＢ位置への展開は、一連の動作ですることができる。
【００１８】
さらに、Ｂ位置まで展開した緩降機取り付け具１は、窓から屋外に突出した状態で、図示しないストッパーによって、それ以上の展開つまり回動が規制されて静止する。しかし、Ｂ位置に到達しても、そのまま操作レバー１１に押す力を付与し続けると、今度は、操作レバー１１に付与する力は、支持アーム４を展張する力となり、リンク機構が展張して、支持アーム４が収納スペース３ｄから突出展張する。つまり、操作レバー１１に作用する力は、Ｂ位置で静止するまでは、緩降機取り付け具１を展開するように作用し、緩降機取り付け具１がＢ位置に静止してからは、リンク機構及び支持アーム４を展張するように作用する。このように、操作レバー１１に付与する力が、最初は展開する力としてのみ作用し、展開が規制されて初めて、展張する力として作用するように、上記した図示しないストッパーが機能している。
【００１９】
すなわち、図示しないストッパーが、収納状態から展開経過段階においては、緩降機取り付け具１の展張を規制するとともに展開を許容し、展開位置においては、緩降機取り付け具１の展開を規制するとともに展張を許容している。このように、展開中に展張してしまうことを防ぎ、しかも展開後に連続的に展張させることで、一連の動作で収納状態から展張状態までセッティングすることが可能となる。
なお、スプリング１９のバネ力が、第１アームステー５に対して展張する方向に作用して、リンク機構の展張を補助するので、展張開始後はスムーズに使用状態まで展張させることが可能である。
【００２０】
上記のようにして、リンク機構が展張した状態を図４に示す。図４に示すように、リンク機構が展張して、支持アーム４が完全に突出展張しきった状態においては、アームストッパー１７が、メインフレーム３の背面部３ａに対して直角な状態で静止している。
このとき、アームストッパー１７の先端は、支持アーム４の後端に接触しており、支持アーム４及びリンク機構が、収納してしまうのを規制している。
【００２１】
上記した図３の展開状態から、図４の展張状態まで移行する様子を連続的に示したのが図６である。以下では、図６を用いて、展開状態から展張状態に至るまでのリンク機構及び支持アーム４の動きを説明する。
展開状態においては、支持アーム４、第１アームステー５、第２アームステー６は、それぞれ４Ａ，５Ａ，６Ａに位置している。この状態から、操作レバー１１をｙ方向に押すと、第１アームステー５の先端は、ブラケット３ｂに回動自在に取り付けられた回動支持部５ａを支点にして、５Ａ→５Ｂ→５Ｃ→５Ｄの円弧状の軌跡Ｌを描く。一方、第２アームステー６の先端は、下端突出部３ｃに回動自在に取り付けられた回動支持部６ａを支点にして、６Ａ→６Ｂ→６Ｃ→６Ｄの円弧状の軌跡Ｍを描く。
そして、支持アーム４は、第１アームステー５と第２アームステー６によって、回動自在に連結されているので、支持アーム４の先端の軌跡Ｎは、上記第１アームステー５の軌跡Ｌと、第２アームステー６の軌跡Ｍを合成した軌跡を描くことになる。
【００２２】
つまり、軌跡Ｌと軌跡Ｍを合成した支持アーム４の先端の軌跡Ｎは、図示するように、始点４Ａから下降する円弧状の軌跡を描きながらｙ方向に突出していき、４Ｃ付近に至ると、今度は上昇する円弧状の軌跡を描いて、終点４Ｄに静止する。
このような軌跡Ｎは、その高さ方向の移動についてみると、最も高く位置する始点４Ａから徐々に下降し、４Ｃを最も低い位置として、今度は上昇して終点４Ｄに静止する。そして、このときの横方向の移動についてみると、連続的にｙ方向に突出し続けている。
【００２３】
図７（ａ）〜（ｄ）は、上記のように、支持アーム４が４Ａ→４Ｂ→４Ｃ→４Ｄと展張する過程を別個に示すとともに、支持アーム４の展張に伴って、アームストッパー１７が使用状態にセッティングされる様子を示している。図７（ａ）の収納状態（展開状態）においては、アームストッパー１７は、支持アーム４に設けたアームストッパーガイド１８に支えられるようにして１７Ａの位置に静止している。そして、支持アーム４が展張して図７（ｂ）の４Ｂに位置すると、アームストッパー１７の先端は、アームストッパーガイド１８に沿うように移動して、１７Ｂのように位置する。支持アーム４がさらに展張して、図７（ｃ）の４Ｃに位置すると、アームストッパー１７は、アームストッパーガイド１８から離れ、第２アームステー６の先端に設けられたアーチ状部６ｃに支えられるようにして１７Ｃの状態になる。そして、支持アーム４が図７（ｄ）の４Ｄに位置する状態では、アームストッパー１７は、メインフレーム３の背面部３ａと直角になる位置で静止する。この状態において、アームストッパー１７の先端は、支持アーム４の後端に接触する。
【００２４】
また、図７（ｄ）に示す使用状態では、第２アームステー６の先端に形成したアーチ状部６ｃも支持アーム４に接触する。この状態を拡大して示したのが図８である。図８に示すように、アーチ状部６ｃの裏面が支持アーム４に接触し、リンク機構が、これ以上展張するのを規制している。したがって、支持アーム４が４Ｄの使用状態に位置したとき、アームストッパー１７とアーチ状部６ｃとによって、展張及び収納両方向への動きが規制される。なお、この実施形態では、位置保持部材としてアームストッパー１７を用いたが、位置保持部材は、使用状態において収納方向への動きを規制するものであればどのような構成でもよい。
【００２５】
このように、位置保持部材を設けるのは、支持アーム４が図６の４Ｄにある使用状態では、支持アーム４の先端に対して下方に荷重が作用するためである。つまり、支持アーム４の先端に対して下方に荷重が作用すると、この荷重は、支持アーム４に対して収納方向への力として作用する。したがって、支持アーム４は、図６中の４Ｄから４Ｃの位置に戻ろうとし、支持アーム４の後端は、図６中左側へ移動しようとする。そのため、支持アーム４を４Ｄの位置に維持するために、位置保持部材を設けるのである。
【００２６】
また、上記のようにして、使用状態にセッティングされると、リールホルダー１３からリール１２を取り外して地面に落下させるが、このときの様子を示したのが図９である。
リール１２がリール保持部ｒによって、リールホルダー１３に取り付けられている状態（図５参照）から、Ｔ型保持部材１５における長辺部１５ａの展張方向後方側を下方に押し下げると、Ｔ型保持部材１５は、リールホルダー回転軸１６を軸として、円弧を描くようにｙ方向に回動する。このとき、リールホルダー回転軸１６は、Ｉ型保持部材１４とＴ型保持部材１５における長辺部１５ａが直交する中心点よりも、上方に設けられているため、Ｔ型保持部材１５は、展張方向前方に押し出されるようにして、ｚ方向に回動する。そして、Ｔ型保持部材１５が図９の位置まで回動すると、リール１２が、Ｉ型保持部材１４の端部に設けたリール保持部ｒから外れて、展張方向前方に落下する。
リール１２が地上まで落下したのを確認したら、緩降機取り付け具１に残った装着具１０を身に着けて、地上まで降下するのは従来例と同様である。
【００２７】
この実施形態によれば、収納状態から使用状態に至るまで、一連の動作でセッティングすることができる。そのため、緊急時に使用する際、わずらわしさを感じることがない。
また、支持アーム４は、リンク機構によって、展張方向に十分に突出するので、必要以上に長い部材で構成する必要がなく、そのためコンパクトな収納状態を実現することができる。
さらに、支持アーム４の先端は、下降する軌跡を描くように展張を開始するので、収納状態における支持アーム４の先端が、窓枠の上方と同じ高さに位置するところに緩降機取り付け具１を備え付けることができる。しかも、支持アーム４の先端は、下降後再度上昇する軌跡を描いて静止するため、最適な角度を有する使用状態にセッティングすることができる。
【００２８】
しかも、支持アーム４が使用状態まで展張したときに、支持アーム４の後端と、メインフレーム３の背面部３ａとの間にアームストッパー１７が介在するため、支持アーム４の収納方向への動きは確実に規制され、安全に使用することができる。
また、アーチ状部６ｃが、支持アームの展張方向への回動をも規制するので、使用時のがたつきをさらに防止することができる。
そのうえ、Ｔ型保持部材１５における長辺部１５ａの一端を下方に押すだけで、簡単かつ迅速にリール１２を落下させることができる。しかも、Ｔ型保持部材１５は展張方向前方に向かって押し出されるように回動するので、リール１２を突出方向前方に落下させることができる。したがって、リール１２が、落下途中で建物の突出部に引っ掛かってしまうことがなく、確実に地上まで落下させることができる。
【図面の簡単な説明】
【００２９】
【図１（ａ）】緩降機取り付け具の収納状態を示す俯瞰図である。
【図１（ｂ）】緩降機取り付け具の収納状態を示す側面図である。
【図２】緩降機取り付け具の収納状態、展開状態、展張状態を示す俯瞰図である。
【図３】図２において、Ｂ位置にある緩降機取り付け具を、Ｘ方向から見た側面図である。
【図４】緩降機取り付け具の使用状態を示す側面図である。
【図５】リールホルダーを示す正面図である。
【図６】支持アームとリンク機構の展張過程を示す図である。
【図７（ａ）】展開状態における支持アームとアームストッパーを示す図である。
【図７（ｂ）】展張過程における支持アームとアームストッパーを示す図である。
【図７（ｃ）】展張過程における支持アームとアームストッパーを示す図である。
【図７（ｄ）】使用状態における支持アームとアームストッパーを示す図である。
【図８】使用状態における支持アーム、アーチ状部、アームストッパーの構造を示す図である。
【図９】使用時におけるリールホルダーを示す正面図である。
【符号の説明】
【００３０】
３      メインフレーム
４      支持アーム
５      第１アームステー
６      第２アームステー
６ｃ    アーム状部
８      緩降機
１７      アームストッパー
【図１（ａ）】
2007097628.tif 000003
【図１（ｂ）】
2007097628.tif 000004
【図２】
2007097628.tif 000005
【図３】
2007097628.tif 000006
【図４】
2007097628.tif 000007
【図５】
2007097628.tif 000008
【図６】
2007097628.tif 000009
【図７（ａ）】
2007097628.tif 000010
【図７（ｂ）】
2007097628.tif 000011
【図７（ｃ）】
2007097628.tif 000012
【図７（ｄ）】
2007097628.tif 000013
【図８】
2007097628.tif 000014
【図９】
2007097628.tif 000015